(57)【要約】【課題】本発明は、アンモニア、メルカプタン等の消臭性、及び洗濯耐久性にも優れた繊維製品を提供するものであり、特に介護用の繊維製品に好適であり、洗濯性が良いことから繰り返しの使用にも耐え得る製品が提供できたものである。【解決手段】綿繊維を主成分とする繊維製品にポリカルボン酸をエステル架橋させ、かつ、亜鉛、鉄、銅、アルミニウム、コバルト、銀から選択された金属／金属塩類を担持させた消臭機能を備えた繊維製品。【特許請求の範囲】
【請求項１】
綿繊維を主成分とする繊維製品にポリカルボン酸をエステル架橋させたことを特徴とする消臭機能を備えた繊維製品。
【請求項２】
繊維製品に金属塩類を担持させた請求項１記載の消臭機能を備えた繊維製品。
【請求項３】
綿繊維を主成分とする繊維製品にポリカルボン酸をエステル架橋させ、かつ、亜鉛、鉄、銅、アルミニウム、コバルト、銀から選択された金属或いはこれらの金属塩類を担持させた請求項１又は２記載の消臭機能を備えた繊維製品。
【請求項４】
綿繊維を主成分とする繊維製品を、ポリカルボン酸と、次亜燐酸塩と、亜鉛、鉄、銅、アルミニウム、コバルト、銀から選ばれた金属或いはこれらの金属塩類から選ばれた金属及び金属塩と、からなる混合物中に浸漬させ、乾燥後に加熱させることによって当該繊維製品にポリカルボン酸をエステル架橋させると共に、前記金属或いは金属塩を担持させたことを特徴とする消臭機能を備えた繊維製品の製造方法。
【請求項５】
綿繊維を主成分とする繊維製品を、ポリカルボン酸と次亜燐酸塩とからなる混合物中に浸漬させ、乾燥後に加熱させることによって当該繊維製品にポリカルボン酸をエステル架橋させ、次いで、亜鉛、鉄、銅、アルミニウム、コバルト、銀から選ばれた金属或いはこれらの金属塩類を担持させたことを特徴とする消臭機能を備えた繊維製品の製造方法。
【請求項６】
繊維製品に、ポリカルボン酸と、次亜燐酸塩との混合物を浸漬させ、乾燥後に１００〜１９０℃の間で架橋する請求項４又は５記載の消臭機能を備えた繊維製品の製造方法。
【請求項７】
亜鉛、鉄、銅、アルミニウム、コバルト、銀から選ばれた金属或いはこれらの金属塩類を担持させるバインダ−としてアクリル樹脂或いはウレタン樹脂を主体とする乳化剤を用いた請求項３乃至６いずれか１記載の消臭機能を備えた繊維製品の製造方法。
【請求項８】
繊維製品にポリカルボン酸と、次亜燐酸塩との混合物を浸漬する工程を、パディング法を用いる請求項４乃至６いずれか１記載の消臭機能を備えた繊維製品の製造方法。
【発明の詳細な説明】
【技術分野】
【０００１】
本発明は、綿製品に耐久性のある消臭機能を施す技術に関するものである。
【背景技術】
【０００２】
近年、老齢化が進み、ことに寝たきり老人の排泄物の臭いが介護される側、介護する側共にいやな思いをしている。又、汗臭もあり、排泄物、汗臭の主たる原因物質であるアンモニア、硫化水素等に対する優れた消臭性能を有している繊維製品及びその加工方法が要請されている。
【０００３】
従来より繊維に消臭性を有する化合物を塗布又はスプレーしたり、該化合物溶液に繊維を含浸せしめる消臭加工はこれまでに多数提案されている。例えば、ツバキ科植物より取り出した消臭性物質を利用する方法がある（特許文献１）。しかしながら消臭剤が単に含有又は付着されているに過ぎないため、使用中の脱落が多く、耐洗濯性など消臭効果の持続性に問題がある。特に、病人の尿糞臭にはさほど効果がない。
【０００４】
【特許文献１】特公平２−４４９５０号公報
【０００５】
また、繊維表面にカルボキシル基を有するモノマーをグラフト重合する方法がある（特許文献２）。しかるに、この方法はアンモニア等の塩基性の悪臭にのみ効果があり、メルカプタン類の悪臭、酢酸等の酸類悪臭には効果がなく、また、グラフト重合が複雑でかつ作業性に問題があり、更に繊維風合いを損なうという欠点を有している。
【０００６】
【特許文献２】特開昭６２−１４２５６２号公報
【発明の開示】
【発明が解決しようとする課題】
【０００７】
本発明者らは、上記従来技術の欠点を改善すべく鋭意研究の結果、本発明を完成したものであり、アンモニアガス及びメルカプタン類にも効果があり、特に洗濯性にも優れた繊維製品を提供することを目的としている。
【課題を解決するための手段】
【０００８】
本発明の第１の要旨は、主として綿繊維からなる繊維製品にポリカルボン酸をエステル架橋させ、かつ、亜鉛、鉄、銅、アルミニウム、コバルト、銀から選択された金属類を添着させてなることを特徴とする消臭機能を備えた繊維製品に係るものである。
【０００９】
本発明の第２の要旨は、消臭機能を備えた繊維製品の製造方法に係るものであり、ポリカルボン酸と、次亜燐酸塩と、亜鉛、鉄、銅、アルミニウム、コバルト、銀から選ばれた金属或いはこれらの金属塩類から選ばれた金属及び金属塩と、の混合物を綿繊維に含浸させ、加熱させることによって当該綿繊維にポリカルボン酸をエステル架橋させると共に、前記金属或いは金属塩を担持させたことを特徴とする消臭機能を備えた繊維製品の製造方法に係るものである。
【発明の効果】
【００１０】
本発明の繊維製品は、アンモニア、メルカプタン等の消臭に優れた効果があり、洗濯耐久性にも優れた繊維製品であり、特に介護用の繊維製品に好適であり、洗濯性が良いことから繰り返しの使用にも耐え得る製品が提供できたものである。
【発明を実施するための最良の形態】
【００１１】
本発明は、例えば寝たきり病人の排泄物から出るアンモニア、トリメチルアミン、硫化水素、メチルメルカプタンの悪臭ガスと金属塩及びポリカルボン酸と触媒でエステル架橋した繊維製品が化学的に反応し消臭機能を備えたものである。
【００１２】
用いられる繊維製品は、主として綿製品であり、木綿や麻等の各種のセルロース含有繊維で、その形状は糸状や綿状、布状、トウ状、不織布状であることができる。又、本発明の繊維製品は他の繊維が混合されていてもよい。
【００１３】
綿繊維はセルロースが主成分であり、Ｄ−グルコ−ス２個がβ−１，４結合した直鎖状高分子セルロ−スである。かかる構造中の−ＣＨ２ ＯＨ基に−ＣＯＯＨ酸を導入したものであり、繊維製品の分子中にカルボキシル基を導入したことから、アンモニアやアミン等の塩基性の悪臭物質に対する吸着性にすぐれたもので、脱臭性繊維としての作用を示すものである。即ち、アンモニア基（−ＮＨ４ ）はかかるカルボン酸にて補足されてアンモニア臭が消臭されることになる。メルカプタン類は担持した金属のイオンと反応しこれ又補足されることとなる。尚、消臭に供された繊維製品は、中性洗剤にて選択することにより前記反応を元に戻すことが容易にできる。
【００１４】
本発明にて用いられるポリカルボン酸には、トリカルバニル酸、クエン酸、ブタンテトラカルボン酸等が挙げられる。中でも、コスト面からクエン酸とブタンテトラカルボン酸の併用が好ましい。併用の際、クエン酸２０〜１００重量部、ブタンテトラカルボン酸１００〜２０重量部、触媒として次亜燐酸塩２０〜８０重量部が好ましい組成である。
【００１５】
繊維構造中の−ＣＨ２ ＯＨ基に−ＣＯＯＨ酸を導入する際の触媒としては、Ｎａ２ ＨＰＯ３ 、ＮａＨ２ ＰＯ２ 等の次亜燐酸塩が挙げられる。これら一種又は二種類の混合により、繊維中にエステル架橋するものである。尚、架橋条件は１４０〜１６０℃×４〜６分がよい。
【００１６】
一方、メルカプタン等を吸収する機能は、亜鉛、鉄、銅、アルミニウム、コバルト、銀等が繊維製品に担持されるものであり、これら金属イオンと硫化水素（メルカプタン）が反応し、硫化金属となり、硫化水素の臭いを消すものである。処理液中に混合される金属化合物、例えば酢酸銅は２０〜６０重量部である。尚、担持させるバインダ−としては、アクリル酸樹脂やウレタン樹脂等を主体とする乳化物が採用できる。
【実施例】
【００１７】
以下、本発明を実施例により更に詳述するが、本発明はこれに限定するものでないことは勿論である。
製造例１
綿繊維製品をクエン酸８％、ブタンテトラカルボン酸２％、ホスフイン酸ナトリウム７％の溶液に浸漬（パッディング）し、乾燥後に１７０℃×２分で架橋した。得られた製品はかなりの黄変がみられた。尚、１５０℃×３分の架橋では黄変はみられないが、耐洗濯性に問題が残る。
【００１８】
製造例２
綿繊維製品をトリカルバニル酸、ブタンテトラカルボン酸、ホスフイン酸ナトリウムを５０：５０：５０（各重量部）で前記製造例１と同様の工程で実施したところ、得られた繊維製品の結果は良かったがコスト高となり量産性に疑問がある。
【００１９】
製造例３
綿繊維製品をクエン酸、ブタンテトラカルボン酸、ホスフイン酸ナトリウムを５０：５０：５０（各重量部）、バインダ−としてアクリル樹脂乳化剤を用いた酢酸銅５０重量部の混合液に浸漬（パッディング）し、乾燥後に１６０℃×３分で架橋した。これらの処理が終わって、温度５０℃×１０分のソーピングを行った。
【００２０】
上記製造例３における効果は、製造直後の繊維製品にあっては、アンモニア除去率９９％、硫化水素除去率８５％であった。又、アンモニア除去率で言えば、１０回の洗濯後は９９％、２０回の洗濯後は９６％であった。
【００２１】
尚、上記製造例３において、好ましくは、クエン酸４０〜６０重量部、ブタンテトラカルボン酸７０〜４０重量部、ホスフィン酸塩８０〜５０重量部、架橋条件は１４５〜１５５℃×４．５〜５．５分がよい。又、酢酸銅の代わりに銀を使ってもよい。
【産業上の利用可能性】
【００２２】
本発明にて得られた繊維製品は、アンモニア、アミン類、硫化水素、メルカプタン類等の悪臭に有効で、かつ耐久性のある消臭機能を備えたものであり、その用途は極めて広く、例えば、介護用に供する繊維製品に適用できることは勿論、室内消臭をも可能とし、シャツ、下着用として汗臭、加齢臭を除去できる繊維製品に応用できるものである。